(57)【特許請求の範囲】
【請求項１】
筐体内に送風ファンおよびそのファンモータが着脱可能に配置され、前記ファンモータを筐体の背面板に形成されたモータ収容部に着脱可能に固定するモータ固定装置が設けられた空気調和機であって、
前記モータ固定装置は、前記背面板に形成されたモータ受け部と、該モータ受け部に対向して配置され、前記ファンモータのモータ軸方向両端面の一部およびファンモータの外周面の一部を覆うモータカバーとを備え、
前記モータカバーは、その一端側がファンモータのモータ軸と平行な回動軸を介して前記モータ受け部に開閉回動可能に支持され、他端部が係止手段を介して前記モータ受け部に係脱可能に係止され、前記モータカバーの一端側における前記回動軸の軸方向への移動を規制する第１の規制手段とが設けられ、
前記係止手段は、モータカバーの他端部に弾性変形可能に設けられた係止片と、該係止片を変形させて係合固定するモータ受け部側の係止受けとを備え、前記係止片の弾性変形を規制して前記係止受けからの離脱を防止する第２の規制手段が設けられたことを特徴とする空気調和機。
【請求項２】
前記第１の規制手段は、前記モータカバーの一端側に突出する規制片と、前記モータカバーの前記回動軸周りの閉回動で前記規制片が嵌入する規制穴とを備え、前記規制片の規制穴への嵌入姿勢で前記モータカバーの回動軸方向への移動が規制されることを特徴とする請求項１に記載の空気調和機。
【請求項３】
前記モータ固定装置は、前記背面板にファンモータの背面側を覆うよう円弧凹状に形成されたモータ受け部と、該モータ受け部に連続するように配置されてファンモータの前面側下部を覆う円弧凹状のモータカバーと、前記モータカバーに連続するように配置されてファンモータの前面上側を覆い、かつ筐体内に収容される熱交換器の側部から突出するＵベンド管及び出入口パイプを収容する側板とを備えたことを特徴とする請求項１または２に記載の空気調和機。
【請求項４】
前記弾性変形可能な係止片は、Ｕ字形に湾曲形成されていることを特徴とする請求項１に記載の空気調和機。
【請求項５】
第２の規制手段は、前記係止片の内側に侵入して前記係止片の弾性変形を規制する突起から構成されたことを特徴とする請求項１に記載の空気調和機。
【請求項６】
第２の規制手段は、前記モータカバーの回動閉姿勢で、筐体側のモータ受け部の周辺部材に当接して前記係止片の係止姿勢を維持させるよう、前記係止片に延設された延設部を備えたことを特徴とする請求項１に記載の空気調和機。
【請求項７】
第２の規制手段は、前記係止片の内側に侵入して前記係止片の弾性変形を規制する突起と、前記モータカバーの回動閉姿勢で、筐体側のモータ受け部周辺部材に当接して前記係止片の係止姿勢を維持させるよう前記係止片に延設された延設部とを備えたことを特徴とする請求項１に記載の空気調和機。
【発明の詳細な説明】
【技術分野】
【０００１】
本発明は、送風ファンおよびそのファンモータを備えた空気調和機に関するものである。
【背景技術】
【０００２】
従来の空気調和機においては、送風ファンの故障により送風ファンの交換が必要になったり、あるいは送風ファンの清掃等のメンテナンスを行なう際に、送風ファンを筐体内から取り外すために、送風ファンやファンモータは筐体内に着脱可能に装着されている（特許文献１〜４参照）。
【０００３】
例えば、特許文献４の空気調和機では、横流ファン（クロスフローファン）の一端を枢支する軸受けと、モータ受け部に固定ねじを介して取り付けられファンモータを挟持するモータカバーとを備え、モータカバーの固定ねじを取外すことにより、ファンモータをモータ受け部から取り外すことができるようになっている。
【先行技術文献】
【特許文献】
【０００４】
【特許文献１】特開平８−１３５９９４号公報
【特許文献２】特開平９−２２７３７６９号公報
【特許文献３】特開平１０−１３７６９８号公報
【特許文献４】特開２００１−１９３９５７号公報
【発明の概要】
【発明が解決しようとする課題】
【０００５】
ところで、送風ファンのファンモータは、筐体側のモータ受け部とモータカバーとで囲まれたモータ収容部に収容されるが、その際、ファンモータの駆動時に発生する振動が筐体側に伝達するのを防止するため、防振ゴム等の防振材を介してモータ収容部に着脱可能に取り付けられる。
【０００６】
したがって、モータ収容部を構成するモータ受け部とモータカバーとはネジやビスにより強固に固定され、ファンモータからの振動が筐体側に伝達されるのを防止しているが、ファンモータのメンテナンス時にネジやビスの締付けを解除する必要があり、作業性が悪くなるといった課題がある。
【０００７】
一方、モータカバーを係合爪等によりモータ受け部に係止し、メンテナンス時の作業性を良好にすることも考えられるが、係止手段によるモータカバーの固定は、輸送中の振動や衝撃により、係止爪が離脱してモータカバーの係止が外れるおそれがある。
【０００８】
モータカバーが外れる、あるいは緩むと、空気調和機の使用時に、ファンモータで発生した振動が筐体側に伝わりやすくなり、不快音を発生するおそれがある。
【０００９】
本発明は、上記に鑑み、メンテナンス時の作業性を向上させると共に、輸送中の振動・衝撃にもモータカバーが外れるのを防止できる空気調和機の提供を目的としている。
【課題を解決するための手段】
【００１０】
上記目的を達成するために、本発明は、筐体内に送風ファンおよびそのファンモータが着脱可能に配置され、前記ファンモータを筐体の背面板に形成されたモータ収容部に着脱可能に固定するモータ固定装置が設けられた空気調和機であって、前記モータ固定装置は、前記背面板に形成されたモータ受け部と、該モータ受け部に対向して配置され、前記ファンモータのモータ軸方向両端面の一部およびファンモータの外周面の一部を覆うモータカバーとを備え、前記モータカバーは、その一端側がファンモータのモータ軸と平行な回動軸を介して前記モータ受け部に開閉回動可能に支持され、他端部が係止手段を介して前記モータ受け部に係脱可能に係止され、前記モータカバーの一端側における前記回動軸の軸方向への移動を規制する第１の規制手段とが設けられ、前記係止手段は、モータカバーの他端部に弾性変形可能に設けられた係止片と、該係止片を変形させて係合固定するモータ受け部側の係止受けとを備え、前記係止片の弾性変形を規制して前記係止受けからの離脱を防止する第２の規制手段が設けられたことを特徴とする。
【００１１】
上記構成によると、モータカバーが、筐体側のモータ受け部に対向して、前記ファンモータのモータ軸方向両端面およびファンモータの外周面の一部を覆っており、係止手段がモータ受け部に係止しているため、ファンモータの移動が規制されるが、空気調和機の輸送中における振動・衝撃により、係止手段が外れた場合でも、モータカバーの一端側における回動軸の軸方向への移動は、第１の規制手段により規制されるので、ネジやビス等を使用しなくても、回動軸が軸方向に移動するのを防止することができる。
【００１２】
第１の規制手段の具体例としては、前記モータカバーの一端側に突出する規制片と、前記モータカバーの前記回動軸周りの閉回動で前記規制片が嵌入する規制穴とを備えた構成が挙げられ、規制片の規制穴への嵌入姿勢で前記モータカバーの回動軸方向への移動が規制される。
【００１３】
上記構成によると、モータカバーの一端側に突出する規制片をモータ受け部側の規制穴に嵌入するだけの簡単な構成により、モータカバーの回動軸方向への移動が規制される。また、モータカバーの回動開姿勢では規制片が規制穴から抜け出すようになっている。
【００１４】
また、係止手段は、上述のとおり、モータカバーの他端部に弾性変形可能に設けられた係止片と、該係止片を変形させて係合固定するモータ受け部側の係止受けとを備えた構成である。この場合、係止片の形状は特に限定されないが、例えば、Ｕ字形に湾曲形成されたものが挙げられる。このような係止手段には、前記係止片の弾性変形を規制して前記係止受けからの離脱を防止する第２の規制手段を設ける。
【００１５】
第２の規制手段は、モータカバーの他端部が係止手段により係止された後、モータカバーの他端部が動かないよう規制する。つまり、係止手段の弾性変形によりモータカバーの他端部がモータ受け部に係止されているので、その弾性変形を規制することにより、モータカバーがモータ受け部から外れないようにする。
【００１６】
第２の規制手段を例示すると、前記係止片の内側に侵入して前記係止片の弾性変形を規制する突起から構成する。この突起は、モータ受け部の着脱可能な周辺部材に突出形成するのが好ましい。例えば、筐体に対して着脱可能なドレンパンユニットの背面側から突出形成することができる。
【００１７】
第２の規制手段の他の例を説明すると、前記モータカバーの回動閉姿勢で、筐体側のモータ受け部の周辺部材に当接して前記係止片の係止姿勢を維持させるよう、前記係止片から延設された延設部が挙げられる。これにより、係止片の係止姿勢が維持され、係止片が係止受けから外れるのを防止することができる。
【発明の効果】
【００１８】
以上のとおり、本発明によると、輸送中の振動・衝撃により、モータカバーの係止手段が外れたとしても、モータカバーの一端側における回動軸の軸方向への移動が、第１の規制手段により規制されるので、モータカバーが外れるのを防止することができ、ファンモータからの振動を効果的に防止することができる。
【図面の簡単な説明】
【００１９】
【図１】本発明の実施形態である空気調和機の室内ユニットを示す斜視図である。
【図２】室内ユニットの内部を示す縦断面図である。
【図３】室内ユニットの前面パネルおよび左右のカバーを取り外した状態を示す斜視図である。
【図４】図３の状態からフィルタユニットを取りはずした状態を示す斜視図である。
【図５】図４の状態から、熱交換器および前部のドレンパンユニットを取り外した状態を示す斜視図である。
【図６】送風ファンのファンモータを固定するモータ固定装置を分解した状態を示す背面板の斜視図である。
【図７】モータ固定装置のモータカバー開回動状態を示す背面板の斜視図である。
【図８】モータ固定装置のモータカバー閉回動状態を示す背面板の斜視図である。
【図９】閉回動状態を示すモータカバー及びその周辺の斜視図である。
【図１０】（ａ）は筐体の背面板を示す側面図、（ｂ）は背面板の右側にあるモータ収容部を示す正面図である。
【図１１】熱交換器出入り口パイプを収容する側板とドレンパンユニットを取り付けた背面板の右側のモータ収容部を示す正面図である。
【図１２】図１１の右側面図である。
【図１３】モータ収容部の斜視図である。
【図１４】図１２のＡ−Ａ断面図である。
【図１５】図１２のＢ−Ｂ断面図である。
【図１６】図１２のドレンパンユニット取り外し状態でのＡ−Ａ断面図であって、係止片の係止受けからの離脱状態を示す図である。
【発明を実施するための形態】
【００２０】
以下、本発明の実施形態を図面に基づいて説明する。本実施形態では、セパレート型空気調和機の室内ユニットを例に説明する。なお、図１において、前面パネル１０側を前側、背面板７側を背面若しくは後側とし、以下の説明では、前面パネル１０から背面板７に向かう方向を前後方向とし、また前面パネル１０を正面からみて、その横方向を左右方向とする。この種の空気調和機は、室内ユニットの内部に収容される熱交換器と、図示しない室外ユニットに収容される圧縮機、四方弁、室外熱交換器、絞り装置（共に図示せず）とが冷媒管によって接続されて冷凍サイクルが構成され、冷房、暖房、除湿などの各種運転モードを実行できるようになっている。
【００２１】
室内ユニットは、図２に示すように、筐体１内に、吸込口２から吹出口３に至る通風路４と、該通風路４の風の流れの上流側に配置された熱交換器５と、前記通風路４において熱交換器５よりも風の流れの下流側に配置された送風ファン（クロスフローファン）６とを備えている。
【００２２】
筐体１は、図１に示すように、背面板７と、左右のカバー８，９と、前面パネル１０とドレンパンユニット１１とが互いに組み合わされて箱形に形成され、室内ユニットの合成樹脂製の外装を構成している。
【００２３】
背面板７は、筐体内部のクロスフローファン６および熱交換器５の一部を保持するよう前面開放の箱形に形成され、その背面は室内壁に取付可能な平面部を備えている。また、背面板７の前面側には、クロスフローファン６からの送風を吹出口３に案内するリアガイダ１２を備えている。さらに、背面板７の左右の側壁１３，１４はクロスフローファン６の回転軸部６ａを回転可能に軸受けしている。
【００２４】
筐体１の左右のカバー８，９（右カバー８、左カバー９）は、背面板７の左右両側に配置される。背面板７の左右の側壁１３，１４と左右のカバー８，９との間に形成された空間部にクロスフローファン６のモータや電装部品を収容できるようになっている。本例では、正面視で右側の側壁１３の外側にファンモータ１５のモータ収容部１６が形成され、さらにその右側に電装部品収容部１７が形成されている。
【００２５】
モータ収容部１６の上方には熱交換器５の側部から突出するＵベンド管と出入り口パイプとを収容する側板１８が背面板７にビス等により固定されている。
【００２６】
吸込口２は、図１に示すように、前面パネル１０と背面板７とで囲まれた筐体１の天面部に形成され、その裏面側に筐体１の通風路４に吸い込む空気から塵埃を除去するエアフィルタ２１が配置されている。
【００２７】
また、図２に示すように、前面パネル１０と内部の熱交換器５との間で、筐体内にはエアフィルタ２１を清掃するブラシ２２及びダストボックス２３を備えた清掃ユニット２４が筐体１から着脱可能に内蔵されている。前記清掃ユニット２４の案内路には前記エアフィルタ２１が組み込まれて吸込口２に沿って移動可能とされている。また、エアフィルタ２１は、前面パネル１０を開放することにより、前側から取り出すことができる。
【００２８】
熱交換器５は、図２に示すように、通風路４の送風上流側で吸込口２の近傍に設けられる。この熱交換器５は、前面側の熱交換器５ａと背面側の熱交換器５ｂとが側面視で逆Ｖ字形に配置されてなる。
【００２９】
前面側の熱交換器５ａの下方には前記ドレンパンユニット１１の一構成部材である断面上開放コ字形のドレンパン２５が配置される。背面側の熱交換器５ｂの下方には背面板７のリアガイダ１２の背面側に形成されたリア側ドレンパン２６が配置される。
【００３０】
ドレンパンユニット１１は、中央部に吹出口３を形成する周縁部材３１と、吹出口３の前方に回動可能に設けられ、閉姿勢で前面開口を塞ぐ横ルーバ３２と、横ルーバ３２の後側で吹出口３に配置されクロスフローファン６からの風を整流する整流板３３と、横ルーバ３２の後方に揺動可能に配置された複数の縦ルーバ３４とを備えている。
【００３１】
周縁部材３１の下側部材３５は、筐体１の下側外装を構成するもので、その後端部が背面板７の前側部に係止されると共に、周縁部材３１、つまりドレンパンユニット１１がネジにより筐体１の背面板７に固定され、クロスフローファン６のメンテナンス時にネジを緩めて取外しできるようになっている。下側部材３５の上面は、背面板７のリアガイダ１２に連続するよう緩やかに前方へ下り傾斜した送風案内面とされる。
【００３２】
クロスフローファン６は、図６に示すように、所定長さの複数のブレードが円筒状に配列されて羽根車が構成され、その左右両端に設けられた回転軸が筐体１の左右の側壁１３，１４に回転可能に軸受けされ、熱交換器側から吸い込んだ空気を下方から前方に向かう通風路壁に沿って吹出口３側に向かって送風するようになっている。
【００３３】
クロスフローファン６には、正面視で右側に回転軸６ａの延長線上でモータ軸を備えたファンモータ１５が配置される。このファンモータ１５は、図６に示すように、円筒状に形成された周知構造のもので、モータ固定装置４０により背面板７のモータ収容部１６に着脱可能に固定されている。
【００３４】
モータ固定装置４０は、図６に示すように、筐体１の背面板７にファンモータ１５の背面側１／３程度を覆う円弧凹状に形成されたモータ受け部４１と、該モータ受け部４１に連続するように配置されてファンモータの前面下側１／３程度を覆う円弧凹状のモータカバー４２と、モータカバー４２に連続するように配置されファンモータの前面上側１／３を覆う前記側板１８とを備えている。
【００３５】
モータ受け部４１は、背面板７の右側壁１３と、モータ収容部１６と電装部品収容部１７とを区画する区画壁４３との間に円弧凹状に形成されている。さらに、右側壁１３の前面には、ファンモータ１５のモータ軸の周囲に配置されたリング状の防振ゴム部材４４を載置する凹部４５が形成されている。また、区画壁４３の前面側には、ファンモータの軸方向外端部に配置された円盤状の防振ゴム部材４６を載置する凹部４７が切欠き形成されている。そして、右側壁１３と区画壁４３とでファンモータ１５を軸方向で挟持するようになっている。
【００３６】
モータカバー４２は、図６および図９に示すように、ファンモータ１５のモータ軸方向両端面およびファンモータの外周面の一部を覆うよう断面コ字形に形成されている。モータカバー４２の軸方向両端面のカバー側壁４２ａ、４２ｂによりファンモータ１５を軸方向から挟持するようになっている。このモータカバー４２および前記モータ受け部４１には、ファンモータ１５からの発熱を外部に逃がすため、複数状の縦方向の放熱用スリットが形成されている。図９では、モータカバー４２のファンモータの外周面を覆う面に、複数状の縦方向の放熱用スリットが形成されている。なお、カバー側壁４２ａ、４２ｂに放熱用のスリットを形成してもよい。
【００３７】
また、モータカバー４２は、その一端側がファンモータ１５のモータ軸と平行な回動軸４８を介して前記モータ受け部４１の軸受け部に開閉回動可能に支持されている。そして、モータカバー４２の他端部が係止手段５０を介して前記モータ受け部４２の区画壁４３に係脱可能に係止されている。
【００３８】
回動軸４８は、図６および図９に示すように、左右のカバー側壁４２ａ、４２ｂの一端側に内側に突出するように形成され、モータ受け部４１の軸受け穴（図示略）に嵌合して、上下方向に開閉回動可能とされる。モータカバー４２の開回動姿勢では、図７に示すように、モータカバー４２の他端部が下方に位置しモータ受け部４１を開放するようになっている。また、図８に示すように、モータカバー４２の閉回動姿勢では、モータカバー４２の他端部が水平位置まで上回動してモータ受け部４１を閉じるようにしている。なお、回動軸４８の突出方向は、カバー側壁の内側ではなく、外側に突出するように設定してもよい。
【００３９】
前記側板１８は、前述のとおり、熱交換器５の側部から突出するＵベンド管および出入り口パイプとを収容するが、その背面側においてモータ収容部１６の一部を構成し、ファンモータ１５の前面上側１／３程度を覆うモータカバーとしても機能する。したがって、図示しないが、側板１８の左右両側には、防振ゴム部材４４，４６を支持する凹部が形成され、前記モータ受け部４１およびモータカバー４２と協働して、ファンモータ１５を収容支持するようにしている。
【００４０】
係止手段５０は、モータカバー４２の他端部にモータ軸の軸方向に弾性変形可能に形成された係止片５１と、該係止片５１を変形させて係合固定するために筐体側の区画壁４３に形成された係止受け５２とを備えている（図１２から図１６を参照）。
【００４１】
係止片５１は、モータ軸の軸方向で右側のカバー側壁４３の外側に逆Ｕ字形に湾曲形成され、モータ軸の軸方向に弾性変形可能とされている。係止片５１の右外側面には正面視で直角三角形の係止突起５１ａが形成され、この係止突起５１ａが区画壁４３から水平に形成された棚状の係止受け５２に下方から回動しながら係止するようになっている。
【００４２】
したがって、係止手段５０は、モータカバー４２の閉回動により、モータカバー４２の他端部が上回動したとき、係止片５１の右外側にある係止突起５１ａが区画壁４３の壁面に沿って上動し、係止受け５２に到達したときに反発弾性により復帰して係止受け５２に弾性的に係止支持される。
【００４３】
しかし、係止手段５０のみでは輸送中の振動・衝撃等により係止片５１が係止受け５２から離脱するおそれがある。そこで、本例では、前記モータカバー４２の軸方向への移動を規制する２つの規制手段５５、５６が設けられている。
【００４４】
第１の規制手段５５は、図９に示すように、前記モータカバー４２の一端側に突出する規制片５７と、前記モータカバー４２の前記回動軸４８周りの閉回動で前記規制片５７が嵌入する規制穴５８とを備える。規制穴５８は背面板７に設けられている。規制片５７の規制穴５８への嵌入姿勢で前記モータカバー４２の回動軸方向への移動が規制され、モータカバー４２の回動開姿勢では規制片５７が規制穴５８から抜け出すようになっている。
【００４５】
規制片５７は、モータカバー４２のカバー側壁４２ａ、４２ｂの回動軸４８よりも一端側が延長されて構成される。規制穴５８は、図９に示すように、背面板７に設けられているモータ受け部４１に規制片５７に対向してスリット状に形成されている。モータカバー４２の回動閉姿勢において、規制片５７が規制穴５８のスリット穴壁に当接して回動軸４８の軸方向への移動を規制する。規制穴５８は、図９に示すように、上側が幅広に形成され、モータカバー４２が回動開姿勢から回動閉姿勢となる際に、規制片５７を受け入れやすくしている。
【００４６】
第２の規制手段５６は、図９〜図１６に示すように、モータカバー４２の他端部が係止手段５０により係止された後、モータカバー４２の他端部がモータ軸の軸方向に動かないよう規制する。つまり、係止片５１の弾性変形によりモータカバー４２の他端部がモータ受け部４１の係止受け５２に係止されているので、その弾性変形を規制することにより、モータカバー４２がモータ受け部４１から外れないようにする。
【００４７】
第２の規制手段５６として、図９に示すように、前記Ｕ字形の係止片５１の内側に侵入して前記係止片５１の弾性変形を規制する突起６０が例示される。この突起６０は、モータ受け部４１に着脱可能な周辺部材に突出形成する。例えば、筐体１の背面板７に対して着脱可能なドレンパンユニット１１の背面側から突起６０を突出形成することができる。
【００４８】
さらに、第２の規制手段５６として、モータカバー４２の回動閉姿勢で、筐体１側のモータ受け部４１の周辺部材に当接して前記係止片５１の係止姿勢を維持させるよう、前記係止片５１から延設された延設部６１が挙げられる。この延設部６１は、周辺部材に設けられている。延設部６１は係止片５１の係止姿勢を維持し、係止片５１が係止受け５２から外れるのを防止している。この場合の周辺部材としては、熱交換器５の出切り口パイプを案内する側板１８が例示できる。側板１８から背面側に規制板６２を延設し、規制片５１の延設部６１と側板１８の規制板６２とが面接触するようにしている。
【００４９】
上記構成においては、モータカバー４２が、筐体１側のモータ受け部４１に連続して、ファンモータ１５のモータ軸方向両端面およびファンモータ１５の外周面の一部を覆っており、係止手段５０の係止片５１がモータ受け部４１の区画壁４３に係止している。このように、ファンモータ１５の移動が規制される。
【００５０】
しかし、空気調和機の輸送中における振動・衝撃により、係止手段５０が外れた場合、モータカバー４２の一端側における回動軸の軸方向への移動は、第１の規制手段５５の規制片５７がスリット状の規制穴５８に侵入して、規制穴５８の穴壁に食い込むようになる。そのため、ネジやビス等を使用しなくても、回動軸が軸方向に移動するのを防止することができる。
【００５１】
また、第２の規制手段５６は、モータカバー４２の他端部が係止手段５０により係止された後、モータカバー４２の他端部が動かないよう規制する。つまり、ドレンパンユニット１１の背面側から突出する突起６０をＵ字形の係止片５１の内側に侵入させて係止片５１の弾性変形を規制する。また、モータカバー４２の回動閉姿勢で、側板１８の規制板６２に係止片５１の延設部６２が当接して、その係止姿勢を維持させるので、係止片の係止姿勢を強める一方、正しい外し方を行なう際には邪魔にならず、係止片５１が係止受けから外れるのを防止する。
【００５２】
一方、クロスフローファン６を取り外してメンテナンスを行なうには、図１の状態から、前面パネル１０、清掃ユニット、ドレンパンユニット１１、側板１８を順次取り外す。側板１８およびドレンパンユニット１１を取外すことで、係止手段の係止片５１の拘束が解除されて弾性変形可能となるので、係止片５１を撓ませて係止受けから離脱させ、モータカバー４２を回動軸４８の回りに開回動する。これにより、モータカバー４２が開放されてモータを取り出すことができる。したがって、ネジやビスを使ってモータカバー４２を固定する場合に比べて、メンテナンス作業が容易に行える。
【００５３】
また、空気調和機の使用時には、輸送中の振動・衝撃により、モータカバー４２の係止手段５０が外れたとしても、第１の規制手段５５によりモータカバー４２の一端側における回動軸４８の軸方向への移動を規制し、また、弾性変形可能な係止片５１が突起６０や規制板６２により係止姿勢を維持するように働くので、ネジやビス等を使用しなくても、モータカバー４２が外れるのを防止することができ、ファンモータからの振動を効果的に防止することができる。
【００５４】
なお、本発明は、上記実施形態に限定されるものではなく、本発明の範囲内で多くの修正・変更を加えることができるのは勿論である。例えば、本例では送風ファンとしてクロスフローファン（横流ファン）を例示したが、これに限らず、他の形式のファンであってもよい。
【００５５】
また、第２の規制手段としての突起６０は、ドレンパンユニット１１から突出形成した例を示したが、前面パネル１０や右カバー８の裏面から突出する構成を採用してもよい。さらに、第２の規制手段である延設部６１に当接する規制板６２も側板１８から突出させる構成に限定されるものではなく、筐体を構成する他の部材、例えば、右カバー８に付設した構成であってもよい。さらに、第２の規制手段は、本例にように、突起６０と、延設部６１および規制板６２との両規制手段により構成するのみならず、そのうちのいずれか一方の規制手段（例えば、突起６０のみ、あるいは延設部６１および規制板６２のみ）によって構成してもよい。
【符号の説明】
【００５６】
１    筐体
２    吸込口
３    吹出口
４    通風路
５    熱交換器
５ａ  前面側熱交換器
５ｂ  背面側熱交換器
６    送風ファン
６ａ  回転軸（モータ軸）
７    背面板
８    右カバー
９    左カバー
１０    前面パネル
１１    ドレンパンユニット
１２    リアガイダ
１３    右側壁
１４    左側壁
１５    ファンモータ
１６    モータ収容部
１７    電装部品収容部
１８    パイプ案内用側板
２１    エアフィルタ
２２    ブラシ
２３    ダストボックス
２４    清掃ユニット
２５    ドレンパン
２６    リア側ドレンパン
３１    周縁部材
３２    横ルーバ
３３    整流板
３４    縦ルーバ
３５    下側部材
４０    モータ固定装置
４１    モータ受け部
４２    モータカバー
４２ａ、４２ｂ    カバー側壁
４３    区画壁
４４    リング状の防振ゴム部材
４５    右側壁側の凹部
４６    円盤状の防振ゴム部材
４７    区画壁側の凹部
４８    回動軸
５０    係止手段
５１    係止片
５１ａ  係止突起
５２    係止受け
５５    第１の規制手段
５６    第２の規制手段
５７    規制片
５８    規制穴
６１    延設部
６２    規制板
【図１】
0005134101.tif 000002
【図２】
0005134101.tif 000003
【図３】
0005134101.tif 000004
【図４】
0005134101.tif 000005
【図５】
0005134101.tif 000006
【図６】
0005134101.tif 000007
【図７】
0005134101.tif 000008
【図８】
0005134101.tif 000009
【図９】
0005134101.tif 000010
【図１０】
0005134101.tif 000011
【図１１】
0005134101.tif 000012
【図１２】
0005134101.tif 000013
【図１３】
0005134101.tif 000014
【図１４】
0005134101.tif 000015
【図１５】
0005134101.tif 000016
【図１６】
0005134101.tif 000017